(57)【要約】      （修正有）【課題】紫外線から保護する紫外線保護用袋を提供する。【解決手段】ＣＰＰフィルムと紫外線カットフィルムとが積層した透明フィルムを、対向する第１端１と第２端２とが近接して開放上辺６をなすように折り返し、両側辺が封止された紫外線保護用袋であって、前記第１端は開放上辺から延長した蓋部５をなし、前記第２端は前記開放上辺付近に粘着部３を有し、前記開放上辺に沿って前記蓋部を折り返すと前記蓋部と前記粘着部とが重なる。【選択図】図１
0003224140.tif 000002
【実用新案登録請求の範囲】
【請求項１】
ＣＰＰフィルムと紫外線カットフィルムとが積層した透明フィルムを、対向する第１端と第２端とが近接して開放上辺をなすように折り返し、両側辺が封止された紫外線保護用袋であって、前記第１端は開放上辺から延長した蓋部をなし、前記第２端は前記開放上辺付近に粘着部を有し、前記開放上辺に沿って前記蓋部を折り返すと前記蓋部と前記粘着部とが重なる、紫外線保護用袋。
【考案の詳細な説明】
【技術分野】
【０００１】
本考案は、音楽、動画、ビデオゲーム、ソフトウェアなどを格納した情報記録媒体、およびその付属品や外装を、紫外線から保護する袋に関するものである。
【背景技術】
【０００２】
音楽、動画、ビデオゲーム、ソフトウェアなどは、伝統的な売買形態として、ディスクやカセットを利用することが多い。近年では通信によってデータのみをダウンロードする売買方法も利用されているが、実物を手元に置ける安心感や、バックアップとして保管する意図などから、ディスクやカセットを保管することを望む利用者は多い。
【０００３】
ディスクやカセットには、ケースや箱に加え、ジャケットや歌詞カード、説明書などが付属する場合がある。ジャケットには写真やイラスト、アーティストに関する情報などが印刷され、特に初回版や限定版などでは、通常版とは異なるデザインが採用されていることも少なくない。情報記録媒体本体に加えて、これらの付属品も、愛好者にとっては重要なものである。希少なものにおいては、付属品の有無や状態によって販売価格に大きな差が生じることもある。
【０００４】
通例、情報記録媒体本体と付属品は、購入時のケースや箱に一緒に収容できる場合が多い。しかし、長期間にわかって保管する場合には、埃や汚れの付着、紫外線による劣化などから保護する必要があり、購入時のケースや箱では不十分である。
【０００５】
例えば、かつて音楽流通を支えたレコードは、紙製の外装にレコードや付属品を収容している場合がある。レコードは現在でも根強い人気があり、外装も含めて大切に保管したいのは愛好者心理として当然のものである。しかし、紙製の外装に埃や汚れが付着しても、水拭きすると傷みの原因となりうる。
【０００６】
かかる問題に対して、透明樹脂製の保護袋が市販されている。樹脂製であれば埃や汚れが付着した際に、水拭きして落とすことは可能である。また、透明であれば、保護袋に入れたまま外装やジャケットを視認することができ、収容したものが何であるか判別することも容易である。しかし、長期的な保管という観点からは、さらに劣化からも保護する必要がある。
【０００７】
近年販売されたＣＤやＤＶＤでは、プラスチック製のケースに収容されていることが多い。この場合には、水拭きすることは可能である。しかし、ケースを通過した光が紙製の帯やカバーアートに当たると、紙の含有成分であるリグニンの酸化や、インクに含まれる色素の変色が促進され、劣化を生じる原因となる。特に紫外線は、劣化を促す作用が強い。
【０００８】
特許文献１には、超微粒子酸化亜鉛等を添加したことを特徴とする、ポリプロピレン製またはポリエチレン製のＵＶカットレコード袋が開示されている。この袋は透明または半透明であり、この袋にレコードを収容することで紫外線による退色を妨げることができる。しかしながら、この発明には収容物の出し入れを容易にするための仕組みがなく、改良の余地がある。
【先行技術文献】
【特許文献】
【０００９】
【特許文献１】特開２００６−１７６１９９号公報
【考案の概要】
【考案が解決しようとする課題】
【００１０】
本考案は、紫外線から収容物を保護するとともに、出し入れが容易であり、かつ収容物の視認を妨げない、音楽、動画、ビデオゲーム、ソフトウェアなどを格納した情報記録媒体、およびその付属品や外装を、紫外線から保護する袋を提供することを目的とする。
【課題を解決するための手段】
【００１１】
上記課題を解決するため、本考案は、ＣＰＰフィルムと紫外線カットフィルムとが積層した透明フィルムを、対向する第１端と第２端とが近接して開放上辺をなすように折り返し、両側辺が封止された紫外線保護用袋であって、前記第１端は開放上辺から延長した蓋部をなし、前記第２端は前記開放上辺付近に粘着部を有し、前記開放上辺に沿って前記蓋部を折り返すと前記蓋部と前記粘着部とが重なる、紫外線保護用袋を提供する。
【考案の効果】
【００１２】
本考案による紫外線保護用袋は、音楽、動画、ビデオゲーム、ソフトウェアなどを格納した情報記録媒体、およびその付属品や外装を収容し、ジャケット、帯、カバーアート等を覆い隠すことなく、収容物を汚損および紫外線による劣化から保護することができる。また、蓋部ではなく袋本体が粘着部を備えることにより、出し入れする際に粘着部が収容物と接触するおそれがなく、効率的に作業を行うことが可能となる。
【図面の簡単な説明】
【００１３】
【図１】図１は、本考案の紫外線保護用袋を示す平面図である。
【考案を実施するための形態】
【００１４】
本考案による紫外線保護用袋は、音楽、動画、ビデオゲーム、ソフトウェアなどを格納した情報記録媒体、およびその付属品や外装を収容する。情報記録媒体としては、レコード、ＣＤ、ＤＶＤ、ブルーレイディスクのような磁気ディスクおよび光学ディスク、各ゲーム販売会社が販売するゲームカセット等が挙げられるが、特定の情報記録媒体に限定されるものではない。また、格納される情報についても、本明細書に記載されるものは例示に過ぎず、特定種類の内容であることを意図するものではない。
【００１５】
本考案による紫外線保護用袋は、具体的な収容物に応じた寸法を有する。例えばＣＤであれば、ディスク本体には直径８ｃｍまたは１２ｃｍ、厚さ１．２ｍｍとする規格があり、これを収容するケースとしては１４３ｍｍ×１２５ｍｍ×１０ｍｍなどの寸法のものが流通している。これらのケースには、ディスクに加えて、カバーアートや帯、説明書や歌詞カードなどが収容される。本考案による紫外線保護用袋はＣＤ用ケースを縦方向に収容するものであれば、蓋部を除いた平置き寸法が１５５ｍｍ×１３０ｍｍとなるように製造されうる。あるいは、蓋部を除いた平置き寸法を１３７ｍｍ×１４７ｍｍとして、横方向に挿入してもよい。他の情報記録媒体についても同様に、製品や挿入方向に応じた寸法の紫外線保護用袋を製造することができる。
【００１６】
なお、上記例示では、本考案による紫外線保護用袋にケースごと収容するものとして記載したが、ケースや箱から取り出したディスクやカセットのみを収容することもできる。その場合も同様に、厚さを考慮した上で別のサイズ展開のものを製造可能であることはいうまでもない。
【００１７】
本考案による紫外線保護用袋は、ＣＰＰフィルムと紫外線カットフィルムとが積層した透明フィルムを素材とする。ＣＰＰとは、Ｃａｓｔ  Ｐｏｌｙｐｒｏｐｙｌｅｎｅの略で、無延伸ポリプロピレンフィルムを指す。ＣＰＰは透明度が比較的高く、切れ目や接合部における引き裂きに強いという特長がある。袋の破損は、収容物を出し入れする際に負荷がかかりやすい、接合部において発生することが多い。本考案による紫外線保護用袋は、引き裂きに強いＣＰＰを用いることにより、破損を懸念することなく、快適に出し入れすることができる。
【００１８】
紫外線カットフィルムは、任意の素材を用いた、任意の構成のものであってよい。例えば、紫外線吸収剤を配合することで紫外線を吸収するフィルム、適当な厚さおよび屈折率の層を積層させることにより、紫外線を反射するフィルムが挙げられる。例示的なフィルムとして、紫外線吸収剤を配合した２軸延伸ポリプロピレン（ＯＰＰ、Ｏｒｉｅｎｔｅｄ  Ｐｏｌｙｐｒｏｐｙｌｅｎｅ）のフィルムを用いることができる。
【００１９】
本考案による紫外線保護用袋は、任意の厚さのフィルムを用いて製造することができる。例えば厚さ６０μｍのＣＰＰと厚さ２０μｍの紫外線カットフィルムとを積層させてよい。所望される強度、質感、紫外線カット特性などに応じて、任意に変更可能である。
【００２０】
前述のように、粘着部は蓋部ではなく、紫外線保護用袋本体に設けられる。そのため、情報記録媒体やケース、箱等が、収容物を出し入れする際に粘着部に接触するおそれがない。したがって、安心して快適に作業を行うことができる。なお、粘着部は任意の幅を有してよいが、蓋部を折り返したときに、粘着部全体が覆われることを要する。
【００２１】
本考案による紫外線保護用袋は、粘着部の上に剥離フィルムを有してもよい。これにより、情報記録媒体等を収容する前の取扱いの利便性が向上する。使用時には剥離フィルムを剥がすだけでよいため、容易に情報記録媒体等を収容することができる。
【００２２】
さらに剥離フィルムには、帯電防止加工を施してもよい。これにより、剥がした剥離フィルムが手にまとわりつかず、効率的に作業を行うことができる。
【００２３】
なお、本考案は上記の実施形態に限定されるものではなく、本考案の趣旨に基づいて種々変形させることが可能であり、それらを本考案の範囲から排除するものではない。
【符号の説明】
【００２４】
１  第１端
２  第２端
３  粘着部
４  袋部
５  蓋部
６  開放上辺
７  封止側辺
【図１】
0003224140.tif 000003